(57)【要約】【課題】表示ユニットのシャーシ内部の回路とガスケットの接触を避け、ショート発生を防ぐとともに、ガスケットとシャーシの接地面積を確保し不要輻射を改善する技術を提供する。【解決手段】金属製のバックライトシャーシ１０の背面部分１２には、ハーネス連通用開口部５０が設けられている。バックライトシャーシ１０の内部壁面には、ＬＥＤモジュールのコネクタ基板３０がハーネス連通用開口部５０を覆うように取り付けられている。ハーネス連通用開口部５０の縁部分には、プレス加工等によって外側に膨らむように形成された曲げ加工部６０が形成されている。【選択図】図５
2013120211.tif 000002
【特許請求の範囲】
【請求項１】
回路ユニットの金属製のシャーシに設けられ、前記シャーシの内部と外部とを連通する開口部と、
前記シャーシの内部に、前記開口部を覆うように配置された基板と、
前記開口部の縁部分に、前記シャーシの外部側に膨らむように設けられた加工部と、
前記加工部に配置され、所定の回路のシールドと前記シャーシとを導通するガスケットと
を備えることを特徴とする表示装置。
【請求項２】
前記回路ユニットは液晶表示ユニットであって、
前記シャーシは、直下型のＬＥＤバックライトのバックライトシャーシであって、
前記開口部は、前記シャーシの内部に配置される複数のＬＥＤモジュールに対応して複数設けられていることを特徴とする請求項１に記載の表示装置。
【発明の詳細な説明】
【技術分野】
【０００１】
本発明は、表示装置に係り、例えば、液晶テレビ等のようにバックライトシャーシ内部に表示パネルの駆動装置等の回路基板が配置される構成や、録画装置のように筐体内部の限られた空間に各種の回路ユニットが配置される表示装置に関する。
【背景技術】
【０００２】
近年、液晶テレビ等の薄型表示装置では、バックライトにＬＥＤを用いるケースが増えている。ＬＥＤバックライトの方式としては、ＬＥＤをパネル側面に配置するエッジライト方式や、パネル背面直下に配置する直下型方式がある。直下型方式では、ＬＥＤバックライトを分割した表示領域に対応させて多分割制御することで、高品位の映像を生成することがなされている。
【０００３】
ところで、バックライトシャーシに着目してみると、図１に示すように、エッジライト方式が採用されている液晶テレビ１００にあっては、メイン基板１２２やＬＥＤを駆動するための所定の回路基板１２０がバックライトシャーシ１１０の背面側に配置される。バックライトシャーシ１１０の内部へアクセスする信号線は、主にバックライト制御用ハーネス１４０であって、バックライト制御用コネクタ１３０を介して内部にアクセスする。したがって、バックライトシャーシ１１０にケーブル配索用の大きな開口は不要である。
【０００４】
一方、図２に示すように、直下型方式が採用されている液晶テレビ１にあっては、例えば、内部にＬＥＤモジュールが６カ所に配置され、ＬＥＤドライバ基板２０と、６本のバックライト制御用ハーネス４０を配索してコネクタ基板３０で接続される。このときバックライトシャーシ１０の内外を連通するためにハーネス連通用開口部１５０が略四角形状で設けられている。つまり、コネクタ基板３０はハーネス連通用開口部５０によって、むき出しに露出している。メイン基板２２には、不要輻射対策のためのシールド２４（図５参照）が設けられており、そのシールド２４の周囲は、グランドを確実にとるために、ガスケット１９０（図３及び図４参照）によって覆われ、導通が確保されている。導通が不安定であると適正な不要輻射対策ができないことから、導通安定化のための様々な技術が採用されている。例えば、金属同士の固定としての構造を持たせながら、バネ構造も併せて持たせた構造を採用する技術がある（例えば特許文献１及び２参照）。
【先行技術文献】
【特許文献】
【０００５】
【特許文献１】特開２０００−３２７１１号公報
【特許文献２】特開平６−１１６４３２号公報
【発明の概要】
【発明が解決しようとする課題】
【０００６】
ここで、図３及び図４に、図２のメイン基板２２近傍のハーネス連通用開口部５０（領域Ａ１）の拡大図を示す。図３に示すように、メイン基板２２とコネクタ基板３０との関係から、どうしてもガスケット１９０の位置を移動させることができず、ハーネス連通用開口部１５０の上部までガスケット１９０の一部が覆うことがある。その場合、シールドとバックライトシャーシ１１０との間にガスケット１９０が配置されたとき、コネクタ基板１３０のスルーホール１３２と接触して、ショートが発生してしまうことが懸念される。例えば、図３（ｂ）において破線で示すようにガスケット１９０が移動してしまった場合や、変形した一部がスルーホール１３２まで届いてしまう場合が懸念される。そのため、図４に示すように、絶縁テープ１９４を貼付してスルーホール１３２を覆い隠すようにすることがある。この場合、一定の効果は得られるものの、ガスケット１９０がハーネス連通用開口部１５０の上部まで覆うようになっていることから、ガスケット１９０の接触面積が結果的に減少することになっている。その結果、グランドの安定性の観点から対策が求められていた。特許文献１及び２に開示の技術では、金属同士の固定としての構造を持たせながら、ばね構造も併せて持たせ、金属同士の導通を図る構造となっている。しかしながら、ショートやグランドが不安定になることは考慮されておらず、別の技術が求められていた。また、ＤＶＤレコーダやＢＤレコーダ等のような表示パネルを有さない表示装置にあっても、筐体内部の配置スペースの限られた狭い空間に各種の回路ユニットを詰め込む必要があり同様の課題があった。さらに、ブラウン管テレビ等でも小型化の要請は強く同様の課題があった。
【０００７】
本発明は以上のような状況に鑑みなされたものであって、上記課題を解決する技術を提供することを目的とする。
【課題を解決するための手段】
【０００８】
本発明の表示装置は、回路ユニットの金属製のシャーシに設けられ、前記シャーシの内部と外部とを連通する開口部と、前記シャーシの内部に、前記開口部を覆うように配置された基板と、前記開口部の縁部分に、前記シャーシの外部側に膨らむように設けられた加工部と、前記加工部に配置され、所定の回路のシールドと前記シャーシとを導通するガスケットとを備える。
前記回路ユニットは、液晶表示ユニットであって、前記シャーシは、直下型のＬＥＤバックライトのバックライトシャーシであって、前記開口部は、前記シャーシの内部に配置される複数のＬＥＤモジュールに対応して複数設けられてもよい。
【発明の効果】
【０００９】
本発明によれば、回路ユニットのシャーシ内部の回路とガスケットの接触を避け、ショート発生を防ぐとともに、ガスケットとシャーシの接地面積を確保し不要輻射を改善する技術を提供できる。
【図面の簡単な説明】
【００１０】
【図１】従来技術に係る、バックライトがエッジライト型の液晶テレビの背面（バックライトシャーシ側）を示した図である。
【図２】従来技術に係る、バックライトが直下型の液晶テレビの背面（バックライトシャーシ側）を示した図である。
【図３】従来技術に係る、メイン基板の近傍のハーネス連通用開口部（図２の領域Ａ１）の拡大図を示す。
【図４】従来技術に係る、メイン基板の近傍のハーネス連通用開口部（図２の領域Ａ１）の拡大図を示す。
【図５】本実施形態に係る、バックライトシャーシのハーネス連通用開口部近傍の領域を示す図である。
【図６】本実施形態の変形例に係る、バックライトシャーシのハーネス連通用開口部近傍の領域を示す図である。
【図７】本実施形態の変形例に係る、バックライトシャーシのハーネス連通用開口部近傍の領域を示す図である。
【図８】本実施形態の変形例に係る、バックライトシャーシのハーネス連通用開口部近傍の領域を示す図である。
【図９】本実施形態の変形例に係る、バックライトシャーシのハーネス連通用開口部近傍の領域を示す図である。
【発明を実施するための形態】
【００１１】
次に、本発明を実施するための形態（以下、単に「実施形態」という）を、図面を参照して具体的に説明する。本実施形態では、バックライトシャーシの構造において、バックライトシャーシからむき出しになっているコネクタ基板上方の開口部の四方にへりが設けられ、周囲がヘリ（縁部）によって囲まれる構造となっている。なお、本実施形態の基本的な構成は図２に示した薄型表示装置の液晶テレビ１と同様なので、以下では図５を参照して主に異なる点について説明する。
【００１２】
図５は、本実施形態に係るハーネス連通用開口部５０の周囲領域の構造を示す図である。図５（ａ）は平面図であり、図５（ｂ）は図５（ａ）のＸ１−Ｘ１断面図である。図示のように、スチールやアルミニウム合金等の金属製のバックライトシャーシ１０の背面部分１２には、ハーネス連通用開口部５０が形成されている。バックライトシャーシ１０の内部壁面には、ＬＥＤモジュールのコネクタ基板３０がハーネス連通用開口部５０を覆うように取り付けられている。
【００１３】
ハーネス連通用開口部５０の近傍領域である縁部分には、プレス加工等によって外側に膨らむように形成された曲げ加工部６０が形成されている。
【００１４】
具体的には、曲げ加工部６０は、傾斜部６２と離間平面部６４とを備えて構成されている。傾斜部６２は、背面部分１２から延出して斜め上方にハーネス連通用開口部５０中心方向に向かって形成されている。離間平面部６４は、背面部分１２の端部からハーネス連通用開口部５０の中心方向に延出しており、背面部分１２と平行に離間して形成されている。
【００１５】
このように、ハーネス連通用開口部５０の周囲に曲げ加工部６０が設けられることで、バックライトシャーシ１０（背面部分１２）とコネクタ基板３０とが接しない領域を、ハーネス連通用開口部５０の面積より広く確保できる。その結果、スルーホール３２等を曲げ加工部６０の下側に配置することができる。つまり、コネクタ基板３０やハーネス連通用開口部５０の設計の自由度が向上する。
【００１６】
また、メイン基板２２の配置の自由度も向上する。つまり。従来よりもハーネス連通用開口部５０の近くまでメイン基板２２及びシールド２４を配置させることができる。
【００１７】
ハーネス連通用開口部５０の周囲にはガスケット９０が配置される。ここでは、ちょうど傾斜部６２の上にガスケット９０が配置される。曲げ加工部６０が背面部分１２に対して一段高くなっていることから、ガスケット９０がハーネス連通用開口部５０の方向にずれることが防止される。したがって、スルーホール３２等に接触して短絡が発生してしまうことはない。
【００１８】
また、ガスケット９０がシールド２４とバックライトシャーシ１０に配置され押しつぶされて一部が変形した場合であっても、離間平面部６４からコネクタ基板３０まで一定距離が確保されているので、短絡が発生することはない。
【００１９】
さらにまた、スルーホール３２等を曲げ加工部６０の下側に配置することができることから、ガスケット９０をハーネス連通用開口部５０の直ぐそばまで配置することができ、かつ、接触面積を十分に確保できる。
【００２０】
つまり、ガスケット９０の一部がハーネス連通用開口部５０の上を覆うように配置するといった状態を回避させることができる。したがって、グランドを適正に確保できるので、不要輻射防止・低減を安定的に実現できる。また、絶縁テープ１９４を貼付する必要がない。
【００２１】
なお、ハーネス連通用開口部５０は、薄型表示装置の液晶テレビ１に適用したが、ブラウン管や有機ＥＬ等の表示ユニットを備える表示装置にも適応できる。さらに、ＤＶＤレコーダやＢＤレコーダのように比較的薄型の筐体の内部に回路を搭載する表示装置にも適用できる。
【００２２】
以上、本発明を実施形態をもとに説明した。この実施形態は例示であり、それらの各構成要素の組み合わせ等にいろいろな変形例が可能なこと、またそうした変形例も本発明の範囲にあることは当業者に理解されるところである。以下、図６〜図９を参照して、変形例について説明する。
【００２３】
図６に示す変形例では、ハーネス連通用開口部２５０の曲げ加工部２６０は、傾斜部２６２と離間平面部２６４とを備えて構成されている。本変形例の傾斜部２６２は、階段状に形成されている。このような構成によって、バックライトシャーシ１０に機械的な抵抗が増えることで、ガスケット９０のずれをより強固に防止できる。
【００２４】
図７に示す変形例では、ハーネス連通用開口部３５０の曲げ加工部３６０は、傾斜部３６２と離間平面部３６４と端部曲げ部３６５とを備えて構成されている。端部曲げ部３６５は、離間平面部３６４のハーネス連通用開口部３５０側の端部（縁）が上方向、つまり、コネクタ基板３０から離れる方向に垂直に折り曲がっている。このような構成によって、ガスケット９０がずれた場合でも、端部曲げ部３６５がそれ以上のずれを防止し、ハーネス連通用開口部３５０への移動を回避できる。さらに、ガスケット９０とバックライトシャーシ１０との接触面積を増加させることもでき、その場合、不要複写対策の効果が向上する。
【００２５】
図８に示す変形例では、ハーネス連通用開口部４５０の曲げ加工部４６０は、傾斜部４６２と離間平面部４６４と端部曲げ部４６５とを備えて構成されている。端部曲げ部４６５は、離間平面部４６４のハーネス連通用開口部４５０側の端部（縁）が折り返し加工されて、ラウンドしている。このような構成によって、ガスケット９０がずれた場合でも、端部曲げ部４６５がそれ以上のずれを防止しつつ、バックライト制御用ハーネス４０の傷つきを防止することができる。
【００２６】
図９に示す変形例では、ハーネス連通用開口部５５０の曲げ加工部５６０は、傾斜部５６２と離間平面部５６４と絞り部５６６とを備えて構成されている。絞り部５６６は、傾斜部５６２と離間平面部５６４との境界部分に、上側に突状に形成されている。このような構成によって、ガスケット９０を強固に挟み固定することができる。また、ガスケット９０とバックライトシャーシ１０との接触面積を増加させることもでき、その場合、不要複写対策の効果が向上する。
【００２７】
なお、図６〜９に示した構成を適宜組み合わせることも当然可能である。
【符号の説明】
【００２８】
１  液晶テレビ
１０  バックライトシャーシ
１２  背面部分
２０  ＬＥＤドライバ基板
２２  メイン基板
２４  シールド
３０  コネクタ基板
３２  スルーホール
４０  バックライト制御用ハーネス
５０、２５０、３５０、４５０、５５０  ハーネス連通用開口部
６０、２６０、３６０、４６０、５６０  曲げ加工部
６２、２６２、３６２、４６２、５６２  傾斜部
６４、２６４、３６４、４６４、５６４  離間平面部
９０  ガスケット
３６５、４６５  端部曲げ部
５６６  絞り部
【図１】
2013120211.tif 000003
【図２】
2013120211.tif 000004
【図３】
2013120211.tif 000005
【図４】
2013120211.tif 000006
【図５】
2013120211.tif 000007
【図６】
2013120211.tif 000008
【図７】
2013120211.tif 000009
【図８】
2013120211.tif 000010
【図９】
2013120211.tif 000011